(57)【要約】【課題】  スピーカ取付部にスピーカを設置して簡単な構造で上部から均一に荷重を加えて効率的に押えることができる固定金具を備えたスピーカ固定構造を提供する。【解決手段】  筐体のスピーカ取付部にスピーカを設置して上部から筐体にネジ止めする固定金具により挟み込んで固定するスピーカ固定構造であって、スピーカ取付部を有した筐体と、このスピーカ取付部に設置するスピーカと、スピーカの裏面側でマグネット部の周囲にリング状に延在して上部から挟み込む加圧部を有し、該加圧部の両端に一対に突出して筐体にネジ止めする固定突部を備えるとともに、この固定突部間でリング状の加圧部表面に左右二分する中心線に沿ってＶ字状の曲げ加工部を形成し、該曲げ加工部を中心とする加圧部表面の両側に絞り加工により各々複数突起状に突出してスピーカの外周を押えて加圧する接点加圧部を形成した固定金具とを備える。【選択図】      図１
2006186727.tif 000002
【特許請求の範囲】
【請求項１】
筐体のスピーカ取付部にスピーカを設置して上部から前記筐体にネジ止めする固定金具により挟み込んで固定するスピーカ固定構造において、
前記スピーカ取付部を有した筐体と、
前記スピーカ取付部に設置するスピーカと、
前記スピーカの裏面側でマグネット部の周囲にリング状に延在して上部から挟み込む加圧部を有し、該加圧部の両端に一対に突出して前記筐体にネジ止めする固定突部を備えるとともに、この固定突部間で前記リング状の加圧部表面に左右二分する中心線に沿ってＶ字状の曲げ加工部を形成し、該曲げ加工部を中心とする前記加圧部表面の両側に絞り加工により各々複数突起状に突出して前記スピーカの外周を押えて加圧する接点加圧部を形成した固定金具とを備えることを特徴とするスピーカ固定構造。
【請求項２】
請求項１に記載のスピーカ固定構造において、
前記接点加圧部は、前記曲げ加工部を中心とする両側の前記加圧部表面に各々２つ設けて左右の合計４つが対角線上に位置するように配置したことを特徴とするスピーカ固定構造。
【請求項３】
請求項１に記載のスピーカ固定構造において、
前記接点加圧部は、前記加圧部の表面に設けた前記対角線上の左右４つを基準として間に更に等間隔で複数配置することを特徴とするスピーカ固定構造。
【請求項４】
請求項１乃至３いずれかに記載のスピーカ固定構造において、
前記筐体のスピーカ取付部には、前記スピーカとの間に弾性を有して水分の侵入を防止するリング状のパッキンを介在したことを特徴とするスピーカ固定構造。
【発明の詳細な説明】
【技術分野】
【０００１】
本発明は、スピーカ固定構造に係り、より詳細には、筐体のスピーカ取付部にスピーカを設置して上部から筐体にネジ止めする固定金具により挟み込んで固定するスピーカ固定構造に関する。
【背景技術】
【０００２】
従来、スピーカ固定構造は、例えば、携帯無線機、携帯電話機などの筐体に採用されており、この筐体にスピーカ取付部を設けてスピーカを設置し、この設置したスピーカを上部から筐体にネジ止めする固定金具により挟み込んで固定するスピーカの固定構造がよく知られている（例えば、特許文献１参照。）。
【特許文献１】実開昭６１−１０７２９０号公報  前述した構造による実施の形態を、図３乃至図６を参照して説明する。図３は、このような固定金具によりスピーカを挟み込む従来のスピーカ固定構造の一実施形態を示す構成図である。また、図４は、図３に示したＣ−Ｃ線の断面で組み立てた状態を示す断面図である。また、図５は、従来のスピーカ固定構造の他の実施形態を示す構成図である。また、図６は、図５に示したＤ−Ｄ線の断面で組み立てた状態を示す断面図である。
【０００３】
図３に示すように、従来のスピーカ固定構造の一実施形態は、携帯無線機、携帯電話機などの筐体  に採用しており、スピーカ取付部１ａ及びネジ固定用の穴を有するボス１ｂを一体形成した筐体１と、このスピーカ取付部１ａに設置するスピーカ３０と、スピーカ取付部１ａに設置したスピーカ３０の裏面側でマグネットを内臓したマグネット部３２（ヨーク）に当接させて筐体１のボス１ｂにネジ止めすることでスピーカ３０を挟み込んで固定する固定金具４０とを備えている。この固定金具４０は、両端に突出して筐体１のボス１ｂにネジ２止めする固定突部４２と、この固定突部４２の両端から屈曲させて板状に延在してスピーカ４０のマグネット部３２を押圧する押圧部４４とを一体に形成している。また、筐体１のスピーカ取付部１ａには、スピーカ３０との間にゴム等で形成して弾性を有し、水の浸入防止用に介在するリング状のパッキン２０を備えている。
【０００４】
このような構成からなる従来のスピーカ固定構造の一実施形態は、図４に示すように、まず、筐体１（図３参照）のスピーカ取付部１ａにパッキン２０を介在させてスピーカ３０を設置し、上部から固定金具４０の押圧部４４によりスピーカ３０のマグネット部３２に荷重を加え、固定金具４０両端の固定突部４２を筐体１のボス１ｂにネジ２止めすることでスピーカ３０を挟み込んで固定する。これによりスピーカ取付部１ａでは、固定金具４０のネジ２止めによる押圧部４４の荷重によりスピーカ３０が押されてパッキン２０を潰し、スピーカ３０との密着性を高めて水等の侵入を防止した状態でスピーカ３０を確実に固定できる。
【０００５】
一方、これとは異なり固定金具によるスピーカの固定位置を変えて確実に固定する従来のスピーカ固定構造の他の実施形態もある。以下、このような従来のスピーカ固定構造の他の実施形態を図５及び６を参照して説明する。ここで、図５及び６に示した固定金具４０以外は、全て図３及び４に示したスピーカ固定構造と同じ構成要素であり、同一の構成要素には同じ符号を記載するとともに、重複する説明は省略する。
【０００６】
図５に示すように、従来のスピーカ固定構造の他の実施形態は、筐体１のスピーカ取付部１ａにスピーカ３０を設置して上部から筐体１にネジ２止めする固定金具５０により挟み込んで固定しており、この固定金具５０にスピーカ３０の裏面側でマグネット部３２（ヨーク）の周囲にリング状に延在する押圧部５４と、この押圧部５４の両端に一対に突出して筐体１のボス１ｂにネジ２止めする固定突部５２とを一体に備えている。また、筐体１のスピーカ取付部１ａには、スピーカ３０との間にゴム等で形成して弾性を有し、水の浸入防止用に介在するリング状のパッキン２０を備えている。即ち、この従来のスピーカ固定構造の他の実施形態では、図６に示すように、固定金具５０のリング状の押圧部５４によりスピーカ３０の上部外側全周を均等に押圧して確実に固定している。従って、スピーカ取付部１ａでは、固定金具５０のネジ止めによる押圧部５４の荷重によりスピーカ３０が押されてパッキン２０を潰し、スピーカ３０との密着性を高めて水等の侵入を防止した状態でスピーカ３０を確実に固定できる。
【０００７】
このように従来のスピーカ固定構造は、スピーカ取付部１ａにスピーカ３０を固定するために上部から挟み込んで固定する固定金具４０、５０の形状（特に、押圧部４４、５４の形状）を種々の形状に変えることで、スピーカ３０を確実に固定できるように形成していた。
【発明の開示】
【発明が解決しようとする課題】
【０００８】
しかしながら、従来のスピーカ固定構造では、図３及び４に示した固定金具４０の場合、押圧部４４の荷重を加える押圧面がマグネット部３２上部の中心部１点で押さえる構造のため、スピーカ３０に押圧部４４からの曲げ応力が集中してスピーカ３０が変形してしまう危険性があり、高い荷重を加えて安定して固定することが困難であった。また、この固定金具４０では、スピーカ取付部１ａでスピーカ３０を押圧して間に介在した水の浸入を防ぐパッキン２０を潰して密着させなければならないが、マグネット部３２の中心部に押圧部４４の荷重が集中するため、パッキン２０の全周に充分な圧力が加わりにくいという不具合があった。
また、従来のスピーカ固定構造では、図５及び６に示した固定金具５０の場合、図３及び４に示した固定金具４０の構造とは違い、固定金具５０がマグネット部３２の外側全周にリング状に延在して圧力を分散して均一に押える構造（図６参照）であるが、その構造を有してもスピーカ３０を押える押圧部５４の曲げ応力が１点に集中してしまうため、高い荷重を加えて安定して固定することが困難であるという不具合があった。
【０００９】
本発明は上記の点に鑑みなされたもので、その目的は、スピーカ取付部にスピーカを設置して簡単な構造で上部から均一に荷重を加えて効率的に押えることができる固定金具を備えたスピーカ固定構造を提供する。
【課題を解決するための手段】
【００１０】
本発明は上述した課題を解決するために、筐体のスピーカ取付部にスピーカを設置して上部から筐体にネジ止めする固定金具により挟み込んで固定するスピーカ固定構造であって、スピーカ取付部を有した筐体と、このスピーカ取付部に設置するスピーカと、スピーカの裏面側でマグネット部の周囲にリング状に延在して上部から挟み込む加圧部を有し、該加圧部の両端に一対に突出して筐体にネジ止めする固定突部を備えるとともに、この固定突部間でリング状の加圧部表面に左右二分する中心線に沿ってＶ字状の曲げ加工部を形成し、該曲げ加工部を中心とする加圧部表面の両側に絞り加工により各々複数突起状に突出してスピーカの外周を押えて加圧する接点加圧部を形成した固定金具とを備える。
【００１１】
ここで、接点加圧部は、曲げ加工部を中心とする両側の加圧部表面に各々２つ設けて左右の合計４つが対角線上に位置するように配置することが好ましい。また、接点加圧部は、加圧部の表面に設けた対角線上の左右４つを基準として間に更に等間隔で複数配置することが好ましい。また、筐体のスピーカ取付部には、スピーカとの間に弾性を有して水分の侵入を防止するリング状のパッキンを介在することが好ましい。
【発明の効果】
【００１２】
以上、本発明によるスピーカ固定構造によれば、Ｖ字状の曲げ加工部による弾性と複数の接点加圧部とにより、スピーカに応力が１点集中せず均一に押圧でき、押えるべき位置で安定して負荷を与えて集中的及び能率的に押えるため、押圧部からの応力が集中してスピーカを変形してしまう危険性を確実に防止できるとともに、このスピーカにパッキンを潰して密着させる圧力を充分に与えることができる。
【発明を実施するための最良の形態】
【００１３】
次に、添付図面を参照して本発明によるスピーカ固定構造の実施の形態を詳細に説明する。図１は、本発明によるスピーカ固定構造の実施形態を示す構成図である。また、図２は、図１に示したＡ−Ａ線の断面で組み立てた状態を示す断面図である。尚、図１及び２に示した固定金具５０以外は全て図３乃至６に示した構成要素と同一であるため、同じ構成要素には同一の符号を記載している。
【実施例】
【００１４】
図１に示すように、本発明によるスピーカ固定構造の実施形態は、図５及び６に示した従来技術と同様に、携帯無線機、携帯電話機などの筐体１に採用しており、スピーカ取付部１ａ及びネジ２固定用の穴を有するボス１ｂを一体形成した筐体１と、このスピーカ取付部１ａに設置するスピーカ３０と、スピーカ取付部１ａに設置したスピーカ３０の裏面側でマグネットを内臓して突出したマグネット部３２（ヨーク）の周囲にリング状に延在して上部からスピーカ３０を挟み込んで筐体１のボス２にネジ止めする固定金具１０とを備えている。この固定金具１０は、スピーカ３０の裏面側でマグネット部３２の周囲にリング状に延在してスピーカ３０を上部から挟み込む加圧部１４と、この加圧部１４の両端に一対に突出して筐体１のボス１ｂにネジ２止めする固定突部１２とを各々備えている。また、固定金具１０は、図５及び６に示した従来技術と異なり、固定突部１２の間でリング状の加圧部１４表面に左右を二分する中心線Ｂに沿ってＶ字状に形成した曲げ加工部１４ａと、この曲げ加工部１４ａを中心とする加圧部１４表面の両側に絞り加工により各々複数突起状に突出してスピーカ３０の外周を押えて加圧する接点加圧部１４ｂとを更に形成している。即ち、本実施形態では、スピーカ３０を押える固定金具１０の加圧部１４をリング状に形成して固定突部１２間の左右二分する中心線Ｂに沿って曲げ加工部１４ａを形成して両側が撓むように弾性を持たせるとともに、この加圧部１４の表面に絞り加工した接点加圧部１４ｂを設けてスピーカ３０の外周を均一に加圧して押えるように設けたものである。
【００１５】
ここで、筐体１のスピーカ取付部１ａには、スピーカ３０との間にゴム等で形成して弾性を有し、水分の侵入を防止するリング状のパッキン２０を介在している。また、接点加圧部１４ｂは、曲げ加工部１４ａを中心とする両側の加圧部１４表面に各々２つ設けてあり、この左右の合計４つが対角線上に位置するように配置している。即ち、本実施の形態では、Ｖ字状の曲げ加工部１４ａによる弾性と４つの接点加圧部１４ｂとにより、スピーカ３０に応力が１点集中せず均一に押圧でき、且つ、押えるべき位置で安定して負荷を与えて集中的及び能率的に固定する構造に形成されている。従って、加圧部１４からの応力が集中してスピーカ３０を変形してしまう危険性を確実に防止できるとともに、このスピーカ３０にパッキン２０を潰して密着させる圧力を充分に加えることができる。また、加圧部１４は、スピーカ３０を加圧する表面に絞り加工による接点加圧部１４ｂを設けているため、この荷重面の反り及び変形に対する強度を増幅させることができる。さらに、前述したように安定した固定がなされるため、スピーカ３０動作時の振動を抑え、スピーカ３０振動による音の影響も防ぐことができる。
【００１６】
この際、加圧部１４の表面に曲げ加工部１４ａを中心とする左右に合計４つの接点加圧部１４ｂを設けた実施例を説明したが、これに限定されるものではなく、例えば、加圧部１４の表面に設けた４つの接点加圧部１４ｂを基準としてリング状の加圧部１４表面に沿って更に等間隔で複数配置し、スピーカ３０への荷重(加圧)点を増やしてスピーカ３０の外側全周に沿って均一に保持することも可能である。このように接点加圧部１４ｂを複数設けて調節することで、この接点加圧部１４ｂにおける荷重を自由に分散させることができ、例えば、マイク等の小型電子機器にも採用することが可能になる。
【００１７】
そして、このように形成された本発明によるスピーカ固定構造の実施形態は、図１に示すように、まず、筐体１のスピーカ取付部１ａにパッキン２０を介在させてスピーカ３０を設置し、この上部から固定金具１０の押圧部１４をスピーカ３０のマグネット部３２外周に合わせて嵌入してスピーカ３０の上部から荷重を加えて挟み込むように配置する。そして、加圧部１４の両側に設けた固定突部１２の片側をネジ２により筐体１のボス１ｂに締結した後、他方の２点目の固定突部１２をネジ２によりボス１ｂに締結することで、Ｖ字状の曲げ加工部１４ａの弾性力により接点加圧部１４ｂがスピーカ３０の外側全周４点に負荷を効率的に加えて押えることができる。これによりスピーカ取付部１ａでは、図２に示すように、固定金具１０のネジ２止めにより接点加圧部１４ｂがスピーカ３０の外周近傍に荷重を効率的に加えて押えることができ、このスピーカ３０がパッキン２０を効果的に潰し、このパッキン２０とスピーカ３０との密着性が高められて水等の侵入を防止した状態でスピーカ３０を確実に固定できる。
【００１８】
以上、本発明によるスピーカ固定構造の実施形態を詳細に説明したが、本発明は前述した実施形態に限定されるものではなく、その要旨を逸脱しない範囲で変更可能である。
例えば、携帯無線機や携帯電話機などの筐体に採用した実施の形態を詳細に説明したが、これに限定されるものではなく、パソコン、有線電話機などの種々の筐体にも採用することが可能である。
【図面の簡単な説明】
【００１９】
【図１】本発明によるスピーカ固定構造の実施形態を示す構成図。
【図２】図１に示したＡ−Ａ線の断面で組み立てた状態を示す断面図。
【図３】従来のスピーカ固定構造の一実施形態を示す構成図。
【図４】図３に示したＣ−Ｃ線の断面で組み立てた状態を示す断面図。
【図５】従来のスピーカ固定構造の他の実施形態を示す構成図。
【図６】図５に示したＤ−Ｄ線の断面で組み立てた状態を示す断面図。
【符号の説明】
【００２０】
１    筐体
１ａ  スピーカ取付部
１ｂ  ボス
２    ネジ
１０    固定金具
１２    固定突部
１４    加圧部
１４ａ  曲げ加工部
１４ｂ  接点加圧部
２０    パッキン
３０    スピーカ
３２    マグネット部
【図１】
2006186727.tif 000003
【図２】
2006186727.tif 000004
【図３】
2006186727.tif 000005
【図４】
2006186727.tif 000006
【図５】
2006186727.tif 000007
【図６】
2006186727.tif 000008